(57)【要約】【課題】複数の分割パーツと、複数の接続用パーツを用いて構成されるスーチャーホルダーであって、複数の上記接続用パーツは、複数の上記分割パーツを従来よりもひずみが生じることなく連結することができ、連結後は、スーチャーホルダー全体がいびつになることはなく、連結箇所が目立たないことを特徴とするスーチャーホルダーを提供すること。【解決手段】スーチャーホルダーは、２つの分割パーツ２と、２つの接続用パーツ３で構成されている。分割パーツ２は、全体的な形状がＣ文字形に湾曲した形状とされている。さらに分割パーツ２は、複数の切欠き４及びスリット５が一定間隔で形成されている。スリット５は、切欠き４を上に向けて配置した状態において、切欠き４の最下位置からさらに下方に向かって垂直に形成されている。接続用パーツ３は、一端から他端にかけて分割パーツ２と同じ曲率で湾曲する形態とされている。【選択図】図１
0003165591.tif 000002
【実用新案登録請求の範囲】
【請求項１】
術野を囲む位置に配置されて、縫合糸を一時的に保持する際に使用されるスーチャーホルダーであって、
スーチャーホルダー本体を複数に分割してなる複数の分割パーツと、隣り合う位置に配置される分割パーツ間に介装されて、両分割パーツを連結する複数の接続用パーツとを備えており、
前記分割パーツは、一端から他端にかけて湾曲する形態とされていて、前記術野を囲む位置に配置された際に、上方に向けられる部分には、その内側に一端から他端にかけて間隔を空けて複数の切欠きを備えるとともに、当該切欠きの下端から、さらに下方に向かって縫合糸の挟み込みが可能なスリットが設けられており、
前記接続用パーツは、一端から他端にかけて前記分割パーツと同じ曲率で湾曲する形態とされている
ことを特徴とするスーチャーホルダー。
【請求項２】
前記接続用パーツは、両端それぞれが前記分割パーツの端部に形成された孔に挿入される挿入部とされていて、
前記接続用パーツの両端間を等分する位置には、前記挿入部を前記孔に挿入した際に前記分割パーツの端部に当接することにより、前記挿入部が過剰に挿入されるのを防止するストッパーが設けられている
ことを特徴とする請求項１に記載のスーチャーホルダー。
【請求項３】
前記接続用パーツの挿入部の周囲には、当該周囲を取り囲んで環状となっている環状突起が備えられている
ことを特徴とする請求項１又は請求項２に記載のスーチャーホルダー。
【請求項４】
前記ストッパーと前記分割パーツの端部は、両者の輪郭が、前記分割パーツと前記接続用パーツを所定の位置関係にして前記挿入部を前記孔に挿入した際にぴったりと重なる形態とされていて、しかも、前記両者の輪郭がぴったりと重なる位置関係とされたときに、前記接続用パーツの曲率中心と前記分割パーツの曲率中心が一致する形態とされている
ことを特徴とする請求項１〜請求項３のいずれか一項に記載のスーチャーホルダー。
【請求項５】
前記分割パーツの外周には、スーチャーホルダーに関する製品情報が記述されている
ことを特徴とする請求項１〜請求項４のいずれか一項に記載のスーチャーホルダー。
【考案の詳細な説明】
【技術分野】
【０００１】
本考案は、手術用縫合糸を一時的に保持するのに使用するスーチャーホルダーに関する。
【背景技術】
【０００２】
従来、手術用縫合糸を一時的に保持するスーチャーホルダーとしては、縫合糸が保持される凸条体が設けられている可撓性の筒状体と、その一端に挿入されて前記可撓性の筒状体を連結する連結材で構成されたものがある（例えば、特許文献１参照。）。
【０００３】
このスーチャーホルダーにおいて、上方に向けられる部分には凸条体が配置され、この凸条体には適当な間隔を空けて多数の切欠きが設けられる。また、各切欠きの下端には、当該下端から下向きに切込みが設けられている。
【０００４】
このようなスーチャーホルダーであれば、術野を囲む位置に配置された際に、縫合糸を切込みに挟み込ませることにより、縫合糸を容易に所定位置に保持することができる。また、複数の前記可撓性の筒状体を、その一端に挿入される連結材で連結すれば、複数の前記可撓性の筒状体は連結され、円環状に形成して使用することができるので、術野の大きさに合わせて使用することができる。
【先行技術文献】
【特許文献】
【０００５】
【特許文献１】実開昭５８−８０２１１号公報
【考案の概要】
【考案が解決しようとする課題】
【０００６】
しかしながら、上記従来のスーチャーホルダーは、上記可撓性の筒状体が変形しやすい材料で形成されているので、その両端部分に上記連結材を挿入すると、両端部分の形状は連結材の形状に応じて変形する。そのため、連結材の形状によっては上記筒状体の両端部分にひずみが生じることがあり、その場合、スーチャーホルダー全体の形態がきれいな円環状とならないことがあった。
【０００７】
本考案は、上記問題を解決するためになされたものであり、その目的は、連結部分においてひずみが生じず、連結箇所が目立ちにくいスーチャーホルダーを提供することにある。
【課題を解決するための手段】
【０００８】
以下、本考案において採用した構成について説明する。
上述の目的を達成するために、請求項１に記載のスーチャーホルダーは、術野を囲む位置に配置されて、縫合糸を一時的に保持する際に使用されるスーチャーホルダーであって、スーチャーホルダー本体を複数に分割してなる複数の分割パーツと、隣り合う位置に配置される分割パーツ間に介装されて、両分割パーツを連結する複数の接続用パーツとを備えており、前記分割パーツは、一端から他端にかけて湾曲する形態とされていて、前記術野を囲む位置に配置された際に、上方に向けられる部分には、その内側に一端から他端にかけて間隔を空けて複数の切欠きを備えるとともに、当該切欠きの下端から、さらに下方に向かって縫合糸の挟み込みが可能なスリットが設けられており、前記接続用パーツは、一端から他端にかけて前記分割パーツと同じ曲率で湾曲する形態とされていることを特徴とする。
【０００９】
このように構成されたスーチャーホルダーであれば、接続用パーツと分割パーツは同じ曲率で湾曲する形態とされているため、接続用パーツを分割パーツに挿入した際に、接続用パーツが挿入されている部分にひずみを生じるのを抑制することができる。したがって、スーチャーホルダー全体の形状はいびつにならないようにすることができ、接続箇所を目立たないようにすることができる。
【００１０】
ところで、上記のような接続用パーツを介して二つの分割パーツを連結する際に、一方の分割パーツ側に対して接続用パーツが過剰に挿入されるようなことがあると、その接続用パーツは、他方の分割パーツに対して挿入可能な部分の長さが過剰に短くなる。そのため、これでは他方の分割パーツから接続用パーツが抜けやすくなる、という問題を招く。また、分割パーツに対する接続用パーツの挿入長を、接続用パーツの両端で同一にすれば、上記のような問題を回避できるが、両端の挿入長が同一かどうかを目視で確認する作業はきわめて面倒で、挿入長を確認しながら行う挿入作業にも手間がかかる。
【００１１】
このような問題に対し、請求項２に記載のスーチャーホルダーは、請求項１に記載のスーチャーホルダーにおいて、前記接続用パーツは、両端それぞれが前記分割パーツの端部に形成された孔に挿入される挿入部とされていて、前記接続用パーツの両端間を等分する位置には、前記挿入部を前記孔に挿入した際に前記分割パーツの端部に当接することにより、前記挿入部が過剰に挿入されるのを防止するストッパーが設けられていることを特徴とする。
【００１２】
このようなスーチャーホルダーであれば、接続用パーツが分割パーツに挿入される際に、分割パーツの端部がストッパーに当接されるまで挿入すれば、接続用パーツは設計通りの適正な位置まで分割パーツに挿入されることになる。
【００１３】
したがって、接続用パーツの一方の挿入部を挿入した後、他方の挿入部を挿入する際に、接続用パーツの等分位置を越えて過剰に分割パーツの奥まで、接続用パーツの一端が挿入されてしまうおそれは無い。そのため、このようなストッパーが設けられていない従来品とは異なり、容易に接続用パーツの両端を均等に分割パーツへ挿入することができる。
【００１４】
また、請求項３に記載のスーチャーホルダーは、請求項１又は請求項２に記載のスーチャーホルダーにおいて、前記接続用パーツの挿入部の周囲には、当該周囲を取り囲んで環状となっている環状突起が備えられていることを特徴とする。
【００１５】
このようなスーチャーホルダーであれば、分割パーツに接続用パーツの挿入部を挿入すると、接続用パーツの周囲に備えられている環状の突起が、分割パーツの内周側から分割パーツにくい込む状態になり、接続用パーツが分割パーツから抜けるのを防止する抜け止めとして機能する。したがって、このような環状突起が備えられていない接続パーツと比較して、より一層、接続用パーツを分割パーツから外れにくくすることができる。
【００１６】
請求項４に記載のスーチャーホルダーは、請求項１〜請求項３のいずれか一項に記載のスーチャーホルダーにおいて、前記ストッパーと前記分割パーツの端部は、両者の輪郭が、前記分割パーツと前記接続用パーツを所定の位置関係にして前記挿入部を前記孔に挿入した際にぴったりと重なる形態とされていて、しかも、前記両者の輪郭がぴったりと重なる位置関係とされたときに、前記接続用パーツの曲率中心と前記分割パーツの曲率中心が一致する形態とされている。
【００１７】
このようなスーチャーホルダーであれば、分割パーツ端部へ接続用パーツを挿入する際に、ストッパー側にある分割パーツ端部に対する当接面の形状と、分割パーツ側にあるストッパーに対する当接面の形状が重なるようにストッパーと分割パーツ端面との位置関係を調節すれば、接続用パーツと分割パーツの曲率中心は一致することになる。
【００１８】
したがって、ストッパーの輪郭と分割パーツの端部の輪郭がぴったりと重なる位置関係にするという簡単な操作を行うだけで、接続用パーツと分割パーツの曲率中心を一致させることができる。
【００１９】
請求項５に記載のスーチャーホルダーは、請求項１〜請求項４のいずれか一項に記載のスーチャーホルダーにおいて、前記分割パーツの外周には、スーチャーホルダーに関する製品情報が記述されていることを特徴とする。
【００２０】
このようなスーチャーホルダーによれば、製品情報が記述されていないものとは異なり、例えば、スーチャーホルダーを使用する時や補充品を発注する時などに、当該スーチャーホルダーがどのような製品なのかを簡単に確認することができる。
【００２１】
しかも、このような製品情報が、スーチャーホルダーの外周に記述されているので、同様の情報がスーチャーホルダーの内周に印刷されているものとも異なり、手術での使用時に、術野の中には製品情報が入り込むことはないので、手術中に製品情報が目障りになることは無い。
【図面の簡単な説明】
【００２２】
【図１】スーチャーホルダーを示した斜視図である。
【図２】（ａ）は分割パーツを示した斜視図、（ｂ）は接続用パーツを示した斜視図、（ｃ）はＡ−Ａ線断面図である。
【考案を実施するための形態】
【００２３】
次に、本考案の実施形態について一例を挙げて説明する。
図１に示すスーチャーホルダー１は、手術中に縫合糸を一時的に保持するために使用される器具であり、２つの分割パーツ２と、２つの接続用パーツ３で構成されている。なお、図１においては、一方の接続用パーツ３のみ、分割パーツ２の内部に隠れている部分についても、透視図として描いてある。
【００２４】
分割パーツ２は、図２（ａ）に示すように、全体的な形状がＣ文字形に湾曲した形状とされている。さらに分割パーツ２は、複数の切欠き４及びスリット５が一定間隔で形成されている。スリット５は、切欠き４を上に向けて配置した状態において、切欠き４の最下位置からさらに下方に向かって垂直に形成されている。
【００２５】
接続用パーツ３は、図２（ｂ）に示すように、全体的な形状が孤を描く形状とされており、接続用パーツ３の両端それぞれは、分割パーツ２の端部に挿入される挿入部１０とされている。
【００２６】
さらに、接続用パーツ３の両端間を等分する位置には、図２（ｂ）に示すように、ストッパー７が設けられている。ストッパー７は、分割パーツ２の端部に挿入部１０を挿入した際に分割パーツ２の端部に当接し、それ以上挿入部１０が分割パーツ２の奥へと押し込まれるのを阻止する部材である。
【００２７】
挿入部１０には、環状の突起６が４つ設けてある。各突起６は、挿入部１０の先端に近い方にテーパーが付けられ、ストッパー７側から挿入部１０の先端に向かって細くなっている（図２（ｂ）及び（ｃ）参照。）。このようなテーパーが付けられていると、環状の突起６の細くなっている方から、接続用パーツ３を分割パーツ２の端部へと挿入することができるので、上述のようなテーパーが付けられていない場合に比べ、挿入部１０をスムーズに挿入することができる。
【００２８】
一方、各突起６において、ストッパー７に近い方には、上述のようなテーパーが付けられていないため、この部分で挿入部１０が分割パーツ２から抜ける方向へ移動するのを妨げ、挿入部１０が分割パーツ２から抜けにくい構造になっている。
【００２９】
また、接続用パーツ３のストッパー７の輪郭と、分割パーツ２の端部の輪郭は同じ形状とされている。そのため、分割パーツ２の端部へ接続用パーツ３の一端を挿入した際に、接続用パーツ３と分割パーツ２の相対的な位置関係を調節すれば、ストッパー７の輪郭と分割パーツ２の端部の輪郭が重なる位置関係にすることができる。しかも、分割パーツ２と接続用パーツ３は、ストッパー７の輪郭と分割パーツ２の端部の輪郭が重なる位置関係になったときに、接続用パーツ３の曲率中心と分割パーツ２の曲率中心が一致する形態とされている。
【００３０】
また、図１に示すように、スーチャーホルダーの外周８には、例えばメーカー名や製品の型番号などの製品情報９が印刷されている。
以上の様に構成されたスーチャーホルダー１によれば、接続用パーツ３にはストッパー７が設けてあるので、このようなストッパー７が設けられていない従来技術とは異なり、スーチャーホルダー１を組み立てる際に、接続用パーツ３の一端だけが過剰に分割パーツ２の奥まで挿入されてしまうのを防止でき、接続用パーツ３の両端を均等に分割パーツ２へ挿入することができる。
【００３１】
また、分割パーツ２へ接続用パーツ３の一端を挿入した際に、ストッパー７の輪郭と分割パーツ２の端部の輪郭が重なる位置関係にするという簡単な操作を行うだけで、接続用パーツ３と分割パーツ２の曲率中心を一致させることができる。したがって、接続用パーツ３が挿入されている部分にひずみが生じるのを防止でき、スーチャーホルダー１全体を均一な曲率で湾曲する形態とすることができる。
【００３２】
加えて、スーチャーホルダー１の外周８には製品情報９が記述されているので、このような製品情報９が印刷されていないものとは異なり、例えば、スーチャーホルダーの使用時や補充品の発注時などに、当該スーチャーホルダーがどのような製品なのかを簡単に確認することができる。しかも、このような製品情報が、スーチャーホルダーの内周に記述されているものとは異なり、手術での使用時に、製品情報が視界に入り込むことはないので、手術中に製品情報が、目障りになることなく使用することができる。
【００３３】
以上、本考案の実施形態について説明したが、本考案は上記の具体的な一実施形態に限定されず、この他にも種々の形態で実施することができる。
例えば、上記実施形態において、スーチャーホルダー１は、２つの分割パーツ２を２つの接続用パーツ３で連結して構成されていたが、４つの分割パーツ２を４つの接続用パーツ３で連結することもできる。さらに、このような４つの分割パーツ２と４つの接続用パーツのうち、分割パーツ２を３つ、接続用パーツ３を２つ使用すれば、孤状のスーチャーホルダーを形成することもできる。
【符号の説明】
【００３４】
１…スーチャーホルダー、２…分割パーツ、３…接続用パーツ、４…切欠き、５…スリット、６…突起、７…ストッパー、８…外周、９…製品情報、１０…挿入部
【図２】
0003165591.tif 000003
【図１】
0003165591.tif 000004